(57)【要約】  ホームエネルギーマネージメントシステムにおいて、生活空間毎に使用した消費電力を確認することができるようにしたものである。  本発明のホームエネルギーマネージメントシステムは、生活空間（１００、２００、３００、４００）毎の消費電力を検出する検出部と、生活空間の温度、湿度及び照度のうち少なくともいずれか一つを含む生活環境情報を検出する検出センサ群（７０１〜７０４、８０１〜８０４、９０１〜９０４）と、生活空間における人間の在室を検出し人間有無情報として出力する在室検出センサ（１００１〜１００４）と、前記生活環境情報に含まれる項目を生活空間毎に記憶する制御サーバと、前記制御サーバが集計した前記消費電力、前記生活環境情報及び前記人間有無情報を、前記生活空間毎に前記表示装置に対して表示する表示装置と、を有する。
2015046320.tif 000002
【特許請求の範囲】
【請求項１】
住宅内の生活空間毎で消費される消費電力を管理するホームエネルギーマネージメントシステムであり、
生活空間毎の消費電力を検出する検出部と、
生活空間毎に設けられ、当該生活空間の温度、湿度及び照度のうち少なくともいずれか一つを含む生活環境情報を検出する検出センサ群と、
生活空間毎に設けられ、当該生活空間における人間の在室の有無を検出し、在室有無情報として出力する在室検出センサと、
前記生活環境情報に含まれる項目について、生活空間毎に集計する制御サーバと、
前記制御サーバが集計した前記消費電力、前記生活環境情報及び前記在室有無情報を、前記生活空間毎に前記表示装置に対して表示する表示装置と
を有している
ことを特徴とするホームエネルギーマネージメントシステム。
【請求項２】
前記消費電力、前記生活環境情報及び前記在室有無情報の各々の履歴を、前記生活空間毎に記憶する記憶部をさらに有し、
前記制御サーバが、前記消費電力、前記生活環境情報及び前記在室有無情報の各々を、前記記憶部に対して、時系列に書き込んで記憶させる
ことを特徴とする請求項１に記載のホームエネルギーマネージメントシステム。
【請求項３】
前記屋外に設けられ、前記屋外の温度である屋外温度、屋外の湿度である屋外湿度、屋外の照度である屋外照度のうち少なくともいずれか一つを含む屋外環境情報を検出する屋外センサ群
をさらに有し、
前記制御サーバが、前記前記屋外環境情報を含む生活環境情報を、前記表示装置に対して表示させる
ことを特徴とする請求項１または請求項２に記載のホームエネルギーマネージメントシステム。
【請求項４】
前記検出部が、
前記生活空間における電気機器毎に消費電力を測定し、
前記制御サーバが、
前記生活空間毎に、かつ当該生活空間の電気機器毎に消費電力を前記表示装置に表示させる
ことを特徴とする請求項１から請求項３のいずれか一項に記載のホームエネルギーマネージメントシステム。
【請求項５】
前記制御サーバが、
前記表示装置に対し、
前記住宅に備えられている発電機の発電電力、前記住宅に電力会社から供給されている買電電力、蓄電器に対する充電電力及び放電電力、を含む電力情報を表示する電力情報表示画面と、
前記生活空間毎に表示する生活空間情報グラフ画面と、
前記電力情報表示画面または生活空間情報グラフ画面を切り替える表示切り替えボタンと
を前記表示装置に表示する
ことを特徴とする請求項１から請求項４のいずれか一項に記載のホームエネルギーマネージメントシステム。
【請求項６】
前記電力情報表示画面に表示する電力情報が、さらに、前記住宅から前記電力会社に供給している売電電力を含むことを特徴とする請求項５に記載のホームエネルギーマネージメントシステム。
【請求項７】
住宅内の生活空間毎で消費される消費電力を管理するホームエネルギーマネージメント方法であり、
生活空間毎の消費電力を検出する検出過程と、
前記生活空間毎に設けられた検出センサ群により、前記生活空間の温度、湿度及び照度のうち少なくともいずれか一つを含む生活環境情報を、前記生活空間毎に検出するセンサ検出過程と、
生活空間毎に設けられた在室検出センサにより、当該生活空間における人間の在室の有無を検出し、在室有無情報として出力する在室検出過程と、
制御サーバが、前記消費電力、前記生活環境情報及び前記在室有無情報を、生活空間毎に集計する集計過程と、
を有し、
前記制御サーバが、集計した前記消費電力、前記生活環境情報及び前記在室有無情報を、前記生活空間毎に前記表示装置に対して表示させる表示過程と
を有する
ことを特徴とするホームエネルギーマネージメント方法。
【請求項８】
前記センサ検出過程において、前記生活空間毎に設けられた検出センサ群により、前記生活空間の温度、湿度及び照度を含む生活環境情報を、前記生活空間毎に検出することを特徴とする請求項7に記載のホームエネルギーマネージメント方法。
【発明の詳細な説明】
【技術分野】
【０００１】
本発明は、住宅の電力管理システムであるホームエネルギーマネージメントシステム（ＨＥＭＳ：home energy management system）及びホームエネルギーマネージメント方法に関する。
本願は、２０１３年９月２７日に、日本に出願された特願２０１３-２０１００６号に基づき優先権を主張し、その内容をここに援用する。
【背景技術】
【０００２】
近年、ホームエネルギーマネージメントシステムにおいては、住宅の電力をセンサなどにより検出し、住宅で使用している消費電力の電力量をユーザーに提示する、すなわち消費電力の見える化（可視化）機能が備えられている。
そして、ホームエネルギーマネージメントシステムの監視パネルの確認画面により、ユーザーが住宅内の消費電力の測定値を監視することができる（例えば、特許文献１参照）。
このようなホームエネルギーマネージメントシステムは、ユーザーが消費電力の見える化の機能を用い、消費電力の節約の方法をユーザー自らに検討させて、節電を促すための仕組みでもある。
【先行技術文献】
【特許文献】
【０００３】
【特許文献１】国際公開第２０１３／０３８９０２号
【発明の概要】
【発明が解決しようとする課題】
【０００４】
特許文献１のようなホームエネルギーマネージメントシステムにおいては、一般的に測定された消費電力が一覧で表示される構成となっている。
しかしながら、消費電力が一覧で表示されるのみでは、使用した消費電力を確認することができるだけであり、消費された電力が、必要に応じて使用された電力か、あるいは無駄に使用された電力かを、ユーザーが見分けることは難しい。
このため、ユーザーは、住宅内のどの電気機器に対して、どのような対応を行えば、電力の節約が行えるかが不明であり、節電行動に繋がらないという問題がある。【０００５】
本発明は、このような事情に鑑みてなされたもので、部屋を含む生活空間単位において電気機器毎に使用した消費電力を確認することができ、かつ消費電力が、必要に応じて使用された電力か、あるいは無駄に使用された電力かを、ユーザー自らが検討することを可能とするホームエネルギーマネージメントシステム及びホームエネルギーマネージメント方法を提供することを目的とする。
【課題を解決するための手段】
【０００６】
本発明のホームエネルギーマネージメントシステムは、住宅内の生活空間毎で消費される消費電力を管理するホームエネルギーマネージメントシステムであり、生活空間毎の消費電力を検出する検出部と、生活空間毎に設けられ、当該生活空間の温度、湿度及び照度のうち少なくともいずれか一つを含む生活環境情報を検出する検出センサ群と、生活空間毎に設けられ、当該生活空間における人間の在室の有無を検出し、在室有無情報として出力する在室検出センサと、前記生活環境情報に含まれる項目について、生活空間毎に集計する制御サーバと、前記制御サーバが集計した前記消費電力、前記生活環境情報及び前記在室有無情報を、前記生活空間毎に前記表示装置に対して表示する表示装置とを有していることを特徴とする。【０００７】
本発明のホームエネルギーマネージメントシステムは、前記消費電力、前記生活環境情報及び前記在室有無情報の各々の履歴を、前記生活空間毎に記憶する記憶部をさらに有し、前記制御サーバが、前記消費電力、前記生活環境情報及び前記在室有無情報の各々を、前記記憶部に対して、時系列に書き込んで記憶させることを特徴とする。【０００８】
本発明のホームエネルギーマネージメントシステムは、前記屋外に設けられ、前記屋外の温度である屋外温度、屋外の湿度である屋外湿度、屋外の照度である屋外照度のうち少なくともいずれか一つを含む屋外環境情報を検出する屋外センサ群をさらに有し、前記制御サーバが、前記前記屋外環境情報を含む生活環境情報を、前記表示装置に対して表示させることを特徴とする。【０００９】
本発明のホームエネルギーマネージメントシステムは、前記検出部が、前記生活空間における電気機器毎に消費電力を測定し、前記制御サーバが、前記生活空間毎に、かつ当該生活空間の電気機器毎に消費電力を前記表示装置に表示させることを特徴とする。【００１０】
本発明のホームエネルギーマネージメントシステムは、前記制御サーバが、前記表示装置に対し、前記住宅に備えられている発電機の発電電力、前記住宅に電力会社から供給されている買電電力、蓄電器に対する充電電力及び放電電力、（及び必要に応じて前記住宅から前記電力会社に供給している売電電力）を含む電力情報を表示する電力情報表示画面と、前記生活空間毎に表示する生活空間情報グラフ画面と、前記電力情報表示画面または生活空間情報グラフ画面を切り替える表示切り替えボタンとを前記表示装置に表示することを特徴とする。【００１１】
本発明のホームエネルギーマネージメント方法は、住宅内の生活空間毎で消費される消費電力を管理するホームエネルギーマネージメント方法であり、生活空間毎の消費電力を検出する検出過程と、前記生活空間毎に設けられた検出センサ群により、前記生活空間の温度、湿度及び照度のうち少なくともいずれか一つ（好ましくはこれら全て）を含む生活環境情報を、前記生活空間毎に検出するセンサ検出過程と、生活空間毎に設けられた在室検出センサにより、当該生活空間における人間の在室の有無を検出し、在室有無情報として出力する在室検出過程と、制御サーバが、前記消費電力、前記生活環境情報及び前記在室有無情報を、生活空間毎に集計する集計過程と、を有し、前記制御サーバが、集計した前記消費電力、前記生活環境情報及び前記在室有無情報を、前記生活空間毎に前記表示装置に対して表示させる表示過程とを有することを特徴とする。
【発明の効果】
【００１２】
本発明によれば、部屋を含む生活空間単位毎に、表示装置により電気機器毎に使用した消費電力を確認することができ、かつ人間が在室しているか否かの生活行動情報が提示されるため、消費された電力が必要に応じて使用された電力か、あるいは無駄に使用された電力かを、ユーザーが見分けることが可能となる。
【図面の簡単な説明】
【００１３】
【図１】本発明の一実施形態によるホームエネルギーマネージメントシステムの構成例を示す図である。
【図２】図１における変換器２と、分電盤５０に設けられた交流電流センサとを説明する図である。
【図３】制御サーバ１が自身の表示部の表示画面、あるいは表示装置６００の表示画面に表示するホームエネルギーマネージメントシステムの制御画面の一例を示す図である。
【図４】画面２０００における電力の利用状況であるおうち情報ボタン２００８を選択した際、表示画面に表示される利用状況の画面を示す図である。
【図５】画面３０００における部屋を選択するボタンを選択した際、表示画面に表示される電力の利用状況の情報であるおうち情報の画面を示す図である。
【発明を実施するための形態】
【００１４】
以下、図面を参照して、本発明の一実施形態について説明する。図１は、本発明の一実施形態によるホームエネルギーマネージメントシステムの構成例を示す図である。
この図１において、住宅は、本実施形態において、例えば、キッチン（台所）１００、寝室２００、子供部屋３００及びリビングルーム（以下、リビングとして示す）４００の各部屋を有している。本実施形態においては、住宅の部屋単位にて説明しているが、生活空間単位にて消費電力の監視および消費電力の履歴の管理を行うようにしても良い。例えば、リビングダイニングキッチンの部屋が存在した場合、リビングダイニングキッチンを生活空間として、リビング領域、ダイニング領域、キッチン領域の各々の生活を行う種別で分けて、消費電力の監視および消費電力の履歴の管理を行うようにしても良い。
キッチン１００には、電力を消費する電気機器として、照明器具であるキッチン照明１１、食器洗い機１３、ＩＨ（induction heating）クッキングヒーター１４が備えられている。また、キッチン１００には、コンセントであるキッチンコンセント１２が設けられている。
【００１５】
寝室２００には、電力を消費する電気機器として、寝室エアコン（エアコンディショナー）２１、照明器具である寝室照明２３が備えられている。また、寝室２００には、コンセントである寝室コンセント２２が設けられている。
子供部屋３００には、電力を消費する電気機器として、子供部屋エアコン３２、照明器具である子供部屋照明３１が備えられている。また、子供部屋３００には、コンセントである子供部屋コンセント３３及び子供部屋コンセント３４が設けられている。
リビングルーム４００には、電力を消費する電気機器として、リビングエアコン４２、照明器具であるリビング照明４１が備えられている。また、リビングルーム４００には、コンセントであるリビングコンセント４３及びリビングコンセント４４が設けられている。
【００１６】
また、キッチン１００には、温度センサ７０１、湿度センサ８０１、照度センサ９０１、人感センサ１００１が設けられている。温度センサ７０１は、キッチン１００内の温度を測定し、キッチン温度として出力する。湿度センサ８０１は、キッチン１００内の湿度を測定し、キッチン湿度として出力する。照度センサ９０１は、キッチン１００内の照度を測定し、キッチン照度として出力する。人感センサ１００１は、在室検出センサであり、キッチン１００内において人が在室しているか否かの検出を行い、キッチン在室情報として出力する。
【００１７】
寝室２００には、温度センサ７０２、湿度センサ８０２、照度センサ９０２、人感センサ１００２が設けられている。温度センサ７０２は、寝室２００内の温度を測定し、寝室温度として出力する。湿度センサ８０２は、寝室２００内の湿度を測定し、寝室湿度として出力する。照度センサ９０２は、寝室２００内の照度を測定し、寝室照度として出力する。人感センサ１００２は、在室検出センサであり、寝室２００内において人が在室しているか否かの検出を行い、寝室在室情報として出力する。
【００１８】
子供部屋３００には、温度センサ７０３、湿度センサ８０３、照度センサ９０３、人感センサ１００３が設けられている。温度センサ７０３は、子供部屋３００内の温度を測定し、子供部屋温度として出力する。湿度センサ８０３は、子供部屋３００内の湿度を測定し、子供部屋湿度として出力する。照度センサ９０３は、子供部屋３００内の照度を測定し、子供部屋照度として出力する。人感センサ１００３は、在室検出センサであり、子供部屋３００内において人が在室しているか否かの検出を行い、子供部屋在室情報として出力する。
【００１９】
リビングルーム４００には、温度センサ７０４、湿度センサ８０４、照度センサ９０４、人感センサ１００４が設けられている。温度センサ７０４は、リビングルーム４００内の温度を測定し、リビング温度として出力する。湿度センサ８０４は、リビングルーム４００内の湿度を測定し、リビング湿度として出力する。照度センサ９０４は、リビングルーム４００内の照度を測定し、リビング照度として出力する。人感センサ１００４は、在室検出センサであり、リビングルーム４００内において人が在室しているか否かの検出を行い、リビング在室情報として出力する。
【００２０】
住宅の屋外の外壁あるいは外壁近傍には、屋外の温度を測定する温度センサ７０５、湿度センサ８０５、照度センサ９０５が設けられている。温度センサ７０５は、屋外の温度を測定し、屋外温度として出力する。湿度センサ８０５は、屋外の湿度を測定し、屋外湿度として出力する。照度センサ９０５は、屋外の照度を測定し、屋外照度として出力する。
【００２１】
また、住宅には、制御サーバ１、変換器２、分電盤５０、パワーコンディショナー７０、太陽光発電パネル８０、家庭用蓄電池９０、表示装置６００が設けられている。
変換器２は、分電盤５０に設けられた交流電流センサ（後述）からの出力値に対して信号変換を行い、出力値を電流値に変換する。また、変換器２は、交流電流センサが同時に測定している電圧値を、上述した電流値に乗算し、電力値に変換して出力する。分電盤５０に対しては、電信柱５００の電線から引き込み線５０１により電力会社からの商用電源としての交流電力が供給されている。
【００２２】
図２は、図１における変換器２と、分電盤５０に設けられた交流電流センサとを説明する図である。
分電盤５０は、アンペアブレーカー３、発電機ブレーカー４、主幹ブレーカー５、部屋単位ブレーカー群１１０、部屋単位ブレーカー群２１０、部屋単位ブレーカー群３１０、部屋単位ブレーカー群４１０が備えられている。アンペアブレーカー３は、電力会社との契約電力に対応したアンペア数を超えた場合、電力会社の送電線からの電源供給の切断処理を行うブレーカーである。発電機ブレーカー４は、入力側であるアンペアブレーカー３からの一次側電力線と、パワーコンディショナー７０の入力側との切断処理を行うブレーカーである。主幹ブレーカー５は、入力側であるアンペアブレーカー３からの一次側電力線と、出力側の二次側電力線との切断処理を行うブレーカーである。
【００２３】
部屋単位ブレーカー群１１０は、生活空間であるキッチン１００におけるキッチン照明１１のブレーカー１２１、食器洗い器１２のブレーカー１２３、ＩＨクッキングヒーター１４のブレーカー１２４、キッチンコンセント１２のブレーカー１２２の各々から構成されている。部屋単位ブレーカー群２１０は、生活空間である寝室２００における寝室エアコン２１のブレーカー２２１、寝室コンセント２２のブレーカー２２２、寝室照明２３のブレーカー２２３の各々から構成されている。部屋単位ブレーカー群３１０は、生活空間である子供部屋３００における子供部屋照明３１のブレーカー３２１、子供部屋エアコン３２のブレーカー３２２、子供部屋コンセント３３及び子供部屋コンセント３４のブレーカー３２３の各々から構成されている。部屋単位ブレーカー群４１０は、生活空間であるリビングルーム４００におけるリビング照明４１のブレーカー４２１、リビングエアコン４２のブレーカー４２２、リビングコンセント４３及びリビングコンセント４４のブレーカー４２３各々から構成されている。
【００２４】
家庭用蓄電池９０は、一次側電力線を介して商用電源５５０から供給される電力により充電し、また一次側電力線を介して充電された電力を放電する。例えば、家庭用蓄電池９０は、電力の価格が安い夜間電力により充電し、電力消費が増加する昼間に放電を行う。
パワーコンディショナー７０は、太陽光発電パネル８０が発電して出力する直流電力を、一般家庭で用いられている周波数の交流電力に変換し、変換した交流電力を一次側電力線に出力する。
【００２５】
交流電流センサ（センサ）５０１は、アンペアブレーカー３の入力側に設けられており、住宅が電力会社から供給される買電電力の電流値、あるいは電力会社に供給する売電電力の電流値を検出し、検出した電流値を示す出力値を出力する。なお、本発明のシステム及び方法において、売電電力の電流値の検出は、電力会社に対して売電している場合において任意に検出対象とすればよい。
交流電流センサ５０２は、二次側電力線とパワーコンディショナー７０との間に設けられており、太陽光発電パネル８０の発電電力の電流値を検出し、検出した電流値を示す出力値を出力する。
【００２６】
交流電流センサ５０３は、一次側電力線と家庭用蓄電池９０との間に設けられており、一次側電力線から蓄電池９０に充電される充電電力の電流値、あるいは蓄電池９０から一次側電力線に放電される放電電力の電流値を検出し、検出した電流値を示す出力値を出力する。
交流電流センサ５０４は、主幹ブレーカー５の出力側に設けられており、主幹ブレーカー５から二次側電力線に供給される電力の電流値を検出し、検出した電流値を示す出力値を出力する。
【００２７】
交流電流センサ１０１は、キッチン照明１１に対して電力を供給する、部屋単位ブレーカー群３１０のブレーカー１２１からの配線１１１に設けられており、キッチン照明１１に対して供給する電流値を検出し、検出した電流値を示す出力値を出力する。交流電流センサ１０２は、キッチンコンセント１２に対して電力を供給する、部屋単位ブレーカー群１１０のブレーカー１２２からの配線１１２に設けられており、キッチンコンセント１２に対して供給する電流値を検出し、検出した電流値を示す出力値を出力する。
【００２８】
交流電流センサ１０３は、食器洗い機１３に対して電力を供給する、部屋単位ブレーカー群１１０のブレーカー１２３からの配線１１３に設けられており、食器洗い機１３に対して供給する電流値を検出し、検出した電流値を示す出力値を出力する。交流電流センサ１０４は、ＩＨクッキングヒーター１４に対して電力を供給する、部屋単位ブレーカー群１１０のブレーカー１２４からの配線１１４に設けられており、ＩＨクッキングヒーター１４に対して供給する電流値を検出し、検出した電流値を示す出力値を出力する。
【００２９】
また、交流電流センサ２０１は、寝室エアコン２１に対して電力を供給する、部屋単位ブレーカー群２１０のブレーカー２２１からの配線２１１に設けられており、寝室エアコン２１に対して供給する電流値を検出し、検出した電流値を示す出力値を出力する。交流電流センサ２０２は、寝室コンセント２２に対して電力を供給する、部屋単位ブレーカー群２１０のブレーカー２２２からの配線２１２に設けられており、寝室コンセント２２に対して供給する電流値を検出し、検出した電流値を示す出力値を出力する。交流電流センサ２０３は、寝室照明２３に対して電力を供給する、部屋単位ブレーカー群２１０のブレーカー２２３からの配線２１３に設けられており、寝室照明２３に対して供給する電流値を検出し、検出した電流値を示す出力値を出力する。
【００３０】
交流電流センサ３０１は、子供部屋照明３１に対して電力を供給する、部屋単位ブレーカー群３１０のブレーカー３２１からの配線３１１に設けられており、子供部屋照明３１に対して供給する電流値を検出し、検出した電流値を示す出力値を出力する。交流電流センサ３０２は、子供部屋エアコン３２に対して電力を供給する、部屋単位ブレーカー群３１０のブレーカー３２２からの配線３１２に設けられており、子供部屋エアコン３２に対して供給する電流値を検出し、検出した電流値を示す出力値を出力する。
【００３１】
交流電流センサ３０３は、子供部屋コンセント３３及び子供部屋コンセント３４に対して電力を供給する、部屋単位ブレーカー群３１０のブレーカー３２３からの配線３１３に設けられており、子供部屋コンセント３３及び子供部屋コンセント３４に対して供給する電流値を検出し、検出した電流値を示す出力値を出力する。すなわち、交流電流センサ３０３は、子供部屋コンセント３３及び子供部屋コンセント３４の各々で使用された消費電流の合計された電流値を検出する。
【００３２】
交流電流センサ４０１は、リビング照明４１に対して電力を供給する、部屋単位ブレーカー群４１０のブレーカー４２１からの配線４１１に設けられており、リビング照明４１に対して供給する電流値を検出し、検出した電流値を示す出力値を出力する。交流電流センサ４０２は、リビングエアコン４２に対して電力を供給する、部屋単位ブレーカー群４１０のブレーカー４２２からの配線４１２に設けられており、リビングエアコン４２に対して供給する電流値を検出し、検出した電流値を示す出力値を出力する。
【００３３】
交流電流センサ４０３は、リビングコンセント４３及びリビングコンセント４４に対して電力を供給する、部屋単位ブレーカー群４１０のブレーカー４２３からの配線４１３に設けられており、リビングコンセント４３及びリビングコンセント４４に対して供給する電流値を検出し、検出した電流値を示す出力値を出力する。すなわち、交流電流センサ４０３は、リビングコンセント４３及びリビングコンセント４４の各々で使用された消費電流の合計された電流値を検出する。
【００３４】
変換器２は、交流電流センサ１０１、１０２、１０３、１０４、２０１、２０２、２０３、３０１、３０２、３０３、４０１、４０２、４０３、５０１、５０２、５０３、５０４で測定される交流電流の電流値から、各々の配線が供給する電力値を算出する。また、変換器２は、算出した電力値を制御サーバ１に対して、無線あるいは有線で送信する。ここで、無線は、通信距離が短い、例えば、Ｗｉ−Ｆｉ（登録商標）（Wireless Fidelity）を含む無線ＬＡＮ（Local Area Network）などが用いられる。
制御サーバ１は、各交流電流センサの検出した電流値に対応する電力値が、変換器２から供給されると記憶部１Ｓに対し、時系列に書き込んで履歴として記憶させる。
【００３５】
以下に、本実施形態における記憶部１Ｓに記憶されている、部屋単位（部屋単位ブレーカー群毎）の電力機器の電力値の使用状態を示す電力値テーブルの構成例を示す。
【００３６】
《キッチン１００》
センサ１０１：キッチン照明、電力値１５０Ｗ
センサ１０２：キッチンコンセント、電力値０Ｗ
センサ１０３：食器洗い機、電力値５００Ｗ
センサ１０４：ＩＨクッキングヒーター、電力値１２００Ｗ
《寝室２００》
センサ２０１：寝室エアコン、電力値２５０Ｗ
センサ２０２：寝室コンセント、電力値０Ｗ
センサ２０３：寝室照明、電力値２０Ｗ
《子供部屋３００》
センサ３０１：子供部屋照明、電力値１２０Ｗ
センサ３０２：子供部屋エアコン、電力値２００Ｗ
センサ３０３：子供部屋コンセント３３及び３４、電力値５０Ｗ
《リビング４００》
センサ４０１：リビング照明、電力値１５０Ｗ
センサ４０２：リビングエアコン、電力値２００Ｗ
センサ４０３：リビングコンセント４３及び４４、電力値３０Ｗ
上記の電力値テーブルにおいて、部屋単位ブレーカー群の各々のブレーカーに対応する電気機器が配設された部屋の番号毎に、各部屋の電気機器に対して電力を供給するブレーカーの出力に接続されている交流電流センサのセンサ番号が記載されている。また、センサ番号毎に、センサ番号に対応する交流電流センサが測定する対象の名称と、測定した電力値が書き込まれて記憶されている。この電力値テーブルは、所定の時間毎、例えば１時間毎に測定された電力値が時系列で、所定の期間（例えば、月単位など）の間にわたり、制御サーバ１により記憶部１Ｓに書き込まれることにより記憶されている。
【００３７】
以下に、本実施形態における記憶部１Ｓに記憶されている、住宅単位における買電、売電、発電、蓄電池の充放電の各々の電力値の状態を示す受給電力値テーブルの構成例を示す。（なお、売電については、本発明では必須ではないが、以下の例においては、売電についても検出し、取得した情報を記憶する場合について述べる。）
【００３８】
センサ５０１：買電電力/売電電力、電力値１５０W
センサ５０２：発電電力、電力値０Ｗ
センサ５０３：蓄電電力/放電電力、電力値５００Ｗ
センサ５０４：主幹ブレーカー供給電力、電力値１２００Ｗ
上記の受給電力値テーブルにおいて、電力を供給する配線に接続されている交流電流センサのセンサ番号が記載されている。また、センサ番号毎に、センサ番号に対応する交流電流センサが測定する対象の名称と、測定した電力値が書き込まれて記憶されている。この受給電力値テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００３９】
上記の受給電力値テーブルにおいて、交流電流センサ５０１は、電力会社から受給する電力、電力会社に供給する電力、すなわち買電電力の電流値／売電電力の電流値を測定している。交流電流センサ５０１は、外部から供給されている（例えば測定した電流値が＋、すなわち正である）場合、測定した電流値を買電電力の電流値とし、外部に対して供給している（例えば測定した電流値が−、すなわち負である）場合、測定した電流値を売電電力の電流値とする。交流電流センサ５０２は、発電設備の発電する電力の電流値を測定する。交流電流センサ５０２は、本実施形態において、太陽光発電パネル８０が発電する電力の電流値を測定する。
【００４０】
交流電流センサ５０３は、家庭用蓄電池９０に対して設けられ、家庭用蓄電池９０に流れる充電電流、あるいは家庭用蓄電池９０から放電されている放電電流の測定を行う。交流電流センサ５０３は、家庭用蓄電池９０に対して流れる電流である（例えば測定した電流値が＋、すなわち正である）場合、測定した電流値を充電電流の電流値とし、家庭用蓄電池９０から流れ出す電流である（例えば測定した電流値が−、すなわち負である）場合、測定した電力を放電電流の電流値とする。交流電流センサ５０４は、主幹ブレーカー５から需要側の全てに対して供給される電力の電流値、すなわち住宅で消費されている電力の合計値である合計電力の電流値を測定する。
【００４１】
以下に、本実施形態における記憶部１Ｓに記憶されている、電力機器に設けられる交流電流センサの電力値の使用状態を示すコンセントモニタ電力値テーブルの構成例を示す。
【００４２】
センサ６０１：電子レンジ（キッチン１００）、電力値１５０Ｗ
センサ６０２：電気スタンド（寝室２００）、電力値０Ｗ
センサ６０３：勉強机（子供部屋３００）、電力値５００Ｗ
センサ６０４：テレビ（リビング４００）、電力値２００Ｗ
コンセントモニタは、図１及び図２に図示されておらず、コンセントに接続される電気機器のＡＣケーブル（交流電源ケーブル）に対して、直接に配設する交流電流センサである。ユーザーは、コンセントモニタを配設した電気機器を、いずれの部屋のコンセントを利用するかを予めの上記コンセントモニタ電力値テーブルに書き込んで記憶させておく。
【００４３】
上記コンセントモニタ電力値テーブルにおいて、センサ番号毎に、センサ番号のコンセントモニタが設けられた電気機器が用いられる部屋番号と、センサ番号に対応するコンセントモニタが測定する対象の名称と、測定した電力値が制御サーバ１の記憶部１Ｓに書き込まれて記憶されている。交流電流センサ６０１は、例えば電子レンジのコンセントに取り付けられたコンセントモニタであり、キッチン１００のコンセントで用いられる電気機器に配設されている。交流電流センサ６０２は、例えば電気スタンドのコンセントに取り付けられたコンセントモニタであり、寝室２００で用いられる電気機器に配設されている。交流電流センサ６０３は、例えば勉強机のコンセントに取り付けられたコンセントモニタであり、子供部屋３００で用いられる電気機器配設されている。交流電流センサ６０４は、例えばテレビのコンセントに取り付けられたコンセントモニタであり、リビング４００で用いられる電気機器に配設されている。
【００４４】
また、分電盤のコンセントに対する配線に対して、交流電流センサが設けられており、かつ交流電流センサが設けられた配線のコンセントを用いる電気機器のＡＣケーブルにコンセントモニタが配設されている場合、コンセントモニタが測定した電力値が優先されて用いられる。すなわち、同一の部屋において、コンセントモニタと、コンセントの配線の交流電流センサが存在する場合、制御サーバ１は、集計処理において、コンセントの配線の交流電流センサの電力値からコンセントモニタが測定した電力値を差し引いてコンセントでの消費電力とし、コンセントモニタが測定した電力値を対応する電気機器の消費電力とする。例えば、子供部屋コンセント３３に勉強机の机コンセントが接続され、この机コンセントにコンセントモニタが設けられている場合を考える。交流電流センサ３０３が子供部屋コンセント３３及び子供部屋コンセント３４の各々の合計電流の電流値を測定し、コンセントモニタ（交流電流センサ６０３）が勉強机で消費される電流値を検出する。制御サーバ１は、交流電流センサ３０３が検出した電流値から電力値Ａを求め、コンセントモニタが検出した電流値から電力値Ｂを求める。そして、制御サーバ１は、後述する画面（画面４０００）において、子供部屋コンセントの消費電力を（Ａ−Ｂ）［Ｗ］とし、勉強机の消費電力をＢ［Ｗ］として表示する。
上記コンセントモニタ電力値テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００４５】
以下に、本実施形態における記憶部１Ｓに記憶されている、各部屋及び屋外の温度を示す温度テーブルの構成例を示す。
【００４６】
センサ７０１：キッチン温度、２９℃
センサ７０２：寝室温度、２８℃
センサ７０３：子供部屋温度、２７℃
センサ６０４：リビング温度、２７℃
センサ６０５：屋外温度、３２℃
上記温度テーブルにおいて、温度センサのセンサ番号と、センサ番号の温度センサの測定する場所と、センサ番号の温度センサの測定した温度とが対応して記憶される。温度センサ７０１は、キッチン１００の温度であるキッチン温度を測定する。温度センサ７０２は、寝室２００の温度である寝室温度を測定する。温度センサ７０３は、子供部屋３００の温度である子供部屋温度を測定する。温度センサ７０４は、リビング４００の温度であるリビング温度を測定する。温度センサ７０５は、屋外（住宅の外）の温度である屋外温度を測定する。
この温度テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００４７】
以下に、本実施形態における記憶部１Ｓに記憶されている、各部屋及び屋外の湿度を示す湿度テーブルの構成例を示す。
【００４８】
センサ８０１：キッチン湿度、３５％
センサ８０２：寝室湿度、３０％
センサ８０３：子供部屋湿度、３５％
センサ８０４：リビング湿度、３２％
センサ８０５：屋外湿度、２９％
この湿度テーブルにおいて、湿度センサのセンサ番号と、センサ番号の湿度センサの測定する場所と、センサ番号の湿度センサの測定した湿度とが対応して記憶される。湿度センサ８０１は、キッチン１００の湿度であるキッチン湿度を測定する。湿度センサ８０２は、寝室２００の湿度である寝室湿度を測定する。湿度センサ８０３は、子供部屋３００の湿度である子供部屋湿度を測定する。湿度センサ８０４は、リビング４００の湿度であるリビング湿度を測定する。湿度センサ８０５は、屋外（住宅の外）の湿度である屋外湿度を測定する。この湿度テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００４９】
以下に、本実施形態における記憶部１Ｓに記憶されている、各部屋及び屋外の照度を示す照度テーブルの構成例を示す。
【００５０】
センサ９０１：キッチン照度、３５ lx
センサ９０２：寝室照度、３０ lx
センサ９０３：子供部屋照度、３５ lx
センサ９０４：リビング照度、３２ lx
センサ９０５：屋外照度、２９ lx
この照度テーブルにおいて、照度センサのセンサ番号と、センサ番号の照度センサの測定する場所と、センサ番号の照度センサの測定した照度とが対応して記憶される。照度センサ９０１は、キッチン１００の照度であるキッチン照度を測定する。照度センサ９０２は、寝室２００の照度である寝室照度を測定する。照度センサ９０３は、子供部屋３００の照度である子供部屋照度を測定する。照度センサ９０４は、リビング４００の照度であるリビング照度を測定する。照度センサ９０５は、屋外（住宅の外）の照度である屋外照度を測定する。この照度テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００５１】
以下に、本実施形態における記憶部１Ｓに記憶されている、各部屋に人間が在室しているか否かを示す在室情報を示す在室テーブルの構成例を示す。
【００５２】
センサ１００１：キッチン在室の有無、 有
センサ１００２：寝室在室の有無、 無
センサ１００３：子供部屋在室の有無、 有
センサ１００４：リビング在室の有無、 有
この在室テーブルにおいて、人感センサのセンサ番号と、センサ番号の人感センサの測定する場所と、センサ番号の人感センサの人間の在室を検出した結果の在室情報（在室の有無）とが対応して記憶される。人感センサ１００１は、キッチン１００における人間の在室の有無を検出する。人感センサ１００２は、寝室２００における人間の在室の有無を検出する。人感センサ１００３は、子供部屋３００における人間の在室の有無を検出する。人感センサ１００４は、リビング４００における人間の在室の有無を検出する。この在室テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【００５３】
本実施形態においては、上述した、各交流電流センサ、各温度センサ、各湿度センサ、各照度センサ、各人感センサの各々から、それぞれのセンサが検出したデータを制御サーバ１が読み込む時間は一定の周期（単位時間の周期）毎に同期して行われる。
【００５４】
図３は、制御サーバ１が自身の表示部の表示画面、あるいは表示装置６００の表示画面に表示するホームエネルギーマネージメントシステムの制御画面の一例を示す図である。また、本実施形態においては、制御画面を制御サーバ１０あるいは表示装置６００の表示画面に表示する構成を例として説明しているが、タブレット端末、携帯電話、スマートフォンなどの携帯端末の表示画面に表示させる構成としても良い。
画面２０００には、制御サーバ１により、現在情報表示領域２００１、現在消費電力表示領域２００２、本日電気料金表示領域２００３、設定ボタン２００４、目標管理ボタン２００５、サービスボタン２００７、電力の利用状況を示す表示に移行させる情報ボタン（以下、本実施形態においてはおうち情報ボタンと示す）２００８、制御ボタン２００９、節電ボタン２０１０、お知らせボタン２０１１などが表示される。
【００５５】
図２に戻り、制御サーバ１は、図示しないメイン画面において、ユーザーが表示画面におけるトップデータの表示画面を選択（マウスなどでクリック）した場合、図３の画面２０００を表示する。
制御サーバ１は、主幹ブレーカー５の出力側に接続されている交流電流センサ５０４の測定値を変換器を介して読み込み、住宅全体の消費電力を示す使用量として現在消費電力表示領域２００２に表示させる。また、目標値の消費電力は、設定ボタン２００４を選択して表示される目標設定画面により、ユーザーが任意に設定する。また、制御サーバ１は、ユーザーが目標管理ボタン２００５を選択すると、１日の使用電力の目標設定や、目標との乖離状況をグラフ表示する。
制御サーバ１は、内部に設けられたカレンダー機能及び時計機能により現在の日時を、インターネットの天気予報会社のホームページから現在の天気を、読み出して現在情報表示領域２００１に表示する。
【００５６】
また、制御サーバ１は、電力会社からインターネットを通じて得られる最新の単位時間（例えば、３０分）あたりの電気料金と、単位時間の周期の時刻毎の買電電力を記憶部１Ｓから読み出し、月単位（今月）で積算した買電電力とを乗算し、今月の電気代を計算し、計算結果を現在情報表示領域２００１に表示する。また、制御サーバ１は、上記最新の単位時間あたりの電気料金と、単位時間あたりの買電電力を記憶部１Ｓから読み出し、日単位（本日）で積算した買電電力とを乗算し、本日の電気代を計算し、計算結果を現在情報表示領域２００１に表示する。この買電電力は、交流電流センサ５０１が測定した電力値であり、記憶部１Ｓの受給電力値テーブルに時系列に書き込まれて記憶されている。
【００５７】
制御サーバ１は、本日の単位時間あたりの買電電力を記憶部１Ｓから読み出し、単位時間あたりの買電電力毎に、それぞれ単位時間あたりの電気料金を乗算し、時刻（各周期）毎の単位時間あたりの電気料金を算出する。そして、制御サーバ１は、単位時間の周期の時刻毎に、経過した時間内の本日電気料金を、時系列のグラフとして表示領域２００３に表示する。本日電気料金表示領域２００３に表示されるグラフは、横軸が単位時間経過した毎の時刻を示し、縦軸がその時刻の単位時間で消費された電気料金を示している。
【００５８】
制御サーバ１は、サービスボタン２００７が選択されると、インターネットを介して、他のサイトへのリンクや電力に関する事項の問い合わせ先の案内を、記憶部１Ｓから読み出して表示する。記憶部１Ｓには、他のサイトへのリンクに用いるＵＲＬ（Uniform Resource Locator）や、電力に関する事項の問い合わせ先のＵＲＬが予め書き込まれて記憶されている。
【００５９】
制御サーバ１は、おうち情報ボタン２００８が選択されると、本発明の特徴である電力情報、生活環境情報、生活行動情報とを表示する画面に、表示画面を切り替える。
制御サーバ１は、制御ボタン２００９が選択されると、住宅に設けられている家電機器の運転状態の確認や制御する画面を表示する画面に、表示画面を切り替える。ここで、制御サーバ１は、住宅内の交流電流センサにより、交流電流センサが対応する電気機器の電流値を検出し、予め設定された閾値を超えている場合、その家電機器が稼働状態にあり、一方、予め設定された閾値以下の場合、その家電機器が稼働状態にないと判定する。
【００６０】
制御サーバ１は、節電ボタン２０１０が選択されると、住宅内の交流電流センサが計測した電流値（電力値）により、在室情報（生活行動情報）により在室していない部屋のエアーコンディショナーや照明を消すなどの節電アドバイスを表示する画面に、表示画面を切り替える。
制御サーバ１は、お知らせボタン２０１１が選択されると、ＨＥＭＳメーカーからのお知らせや、電力会社からの電気料金などのお知らせを表示する画面に、表示画面を切り替える。
【００６１】
図４は、画面２０００におけるおうち情報ボタン２００８を選択した際、表示画面に表示される利用状況（おうち情報）の画面を示す図である。図４において、画面３０００は、画面２０００のおうち情報ボタン２００８が選択された場合、制御サーバ１が表示画面に表示する画面である。表示領域３０１０には、発電状態、売電状態、買電状態、蓄電状態、消費電力などの情報が表示される。なお、図４の例においては、売電状態の情報も表示されているが、これは電力会社に対して売電している場合において任意に表示対象とすればよい。
【００６２】
表示領域３０２１は発電電力を示すアイコンと、このアイコンの右横に現在時点において発電中であるか否かの情報と、発電電力（例えば、５９８．０Ｗ）が表示される。ここで、制御サーバ１は、交流電流センサ５０２により測定された電流値を変換器２を介して入力し、電圧値を乗算して、単位時間の周期の時刻毎に発電電力の電力値を求めて表示する。
【００６３】
表示領域３０２２は蓄電電力を示すアイコンと、このアイコンの右横に現在時点の放電、待機（充電状態）の状態を示す情報と、家庭用蓄電池９０の蓄電量（例えば、最大蓄電電力の７５％）と、充電量（１０Ｗ）とが表示される。ここで、制御サーバ１は、交流電流センサ５０３により測定された電流値を変換器２を介して入力し、電圧値を乗算して、単位時間の周期の時刻毎に蓄電電力あるいは充電電力の電力値を求めて表示する。
【００６４】
表示領域３０２３は消費電力を示すアイコンと、このアイコンの下に現在時点の消費電力（例えば、７７１．０Ｗ）が表示される。ここで、制御サーバ１は、交流電流センサ５０４により測定された電流値を変換器２を介して入力し、電圧値を乗算して、住宅全体における消費電力の電力値を求めて表示する。
【００６５】
表示領域３０２４は売電電力を示すアイコンと、このアイコンの右横に現在時点における売電電力（例えば、０．０Ｗ）が表示される。表示領域３０２５は買電電力を示すアイコンと、このアイコンの下に現在時点の買電電力（例えば、１７５．０Ｗ）が表示される。ここで、制御サーバ１は、交流電流センサ５０１により測定された電流値を変換器２を介して入力し、電圧値を乗算して、単位時間の周期の時刻毎に買電電力あるいは売電電力の電力値を求めて表示する。
【００６６】
また、表示領域３０１１には、１階リビングボタン、１階キッチンボタン、１階洋室１ボタン、１階その他などの部屋を選択するボタンが表示されている。表示領域３０１１におけるボタンが選択されると、制御サーバ１は、その選択されたボタンに対応する部屋における家電機器及びコンセントにおける消費電力を確認する画面に、表示画面を切り替える。
【００６７】
また、表示領域３０１０には、メインボタン３００１、カレンダーボタン３００２、当月の積算値ボタン３００３、当日の積算値ボタン３００４、戻るボタン３００５が表示されている。制御サーバ１は、メインボタン３００１が選択されると、メイン画面を表示する画面に表示画面を切り替える。制御サーバ１は、カレンダーボタン３００２が選択されると、画面３４００を表示する画面に表示画面を切り替える。制御サーバ１は、当月の積算値ボタン３００３が選択されると、画面３３００を表示する画面に表示画面を切り替える。制御サーバ１は、当日の積算値ボタン３００４が選択されると、画面３２００を表示する画面に表示画面を切り替える。制御サーバ１は、表示領域３０２１、３０２２、３０２３、３０２４、３０２５のいずれかのアイコンが選択されると、各々の電力測定値を時系列で示した画面３１００に表示画面を切り替える。
【００６８】
例えば、表示領域３０２１のアイコンが選択されると、画面３１００には、表示領域３１１０に対し、制御サーバ１により、現在の時刻単位の発電電力と、１日の時系列の発電電力とが表示される。ここで、制御サーバ１は、記憶部１Ｓに記憶されている受給電力値テーブルから、単位時間の周期の時刻毎に発電量を読み込んで、時刻毎の時系列のグラフとして発電量を表示領域３１１０に表示する。表示領域３１１０に表示されるグラフは、横軸が単位時間の周期に対応する時刻を示し、縦軸が単位時間の周期に発電した発電電力の電力値を示している。
画面３１００の表示領域３１２０には、現在値ボタン、日データボタン、月データボタン、年データボタンとが表示されている。現在の表示領域３１１０には、日データボタンが選択された場合の表示画面が示されている。現在値ボタンが選択されると、制御サーバ１は、現在の単位時間の周期の時刻における発電電力の電力値を、交流電流センサ５０２から読み込む電流値に基づいて計算し、計算結果を表示領域３１１０に表示する。
【００６９】
また、月データボタンが選択されると、制御サーバ１は、記憶部１Ｓから時間単位の発電電力を順次読み出し、１日毎に加算し、一ヶ月の各日毎の発電電力の電力値を算出する。そして、制御サーバ１は、日毎に時系列に、算出した日毎の発電電力の電力値のグラフを、表示領域３１１０に表示する。
また、年データボタンが選択されると、制御サーバは、記憶部１Ｓから時間単位の発電電力を順次読み出し、一ヶ月毎に加算し、一ヶ月毎の発電電力の電力値を１２ヶ月分、順次算出する。そして、制御サーバ１は、月毎に時系列に、算出した月毎の発電電力の電力値のグラフを、表示領域３１１０に表示する。
【００７０】
また、表示領域３１１０には、メインボタン３１０１、前日ボタン３１０２、戻るボタン３１０３が表示されている。
メインボタン３１０１が選択されると、制御サーバ１は、メイン画面を表示する画面に表示画面を切り替える。制御サーバ１は、前日ボタン３１０２が選択されると、前日の発電電力を、記憶部１Ｓから時間単位毎に順次読み出し、単位時間の周期毎の時刻順に時系列のグラフとして発電量を表示画面に表示する。制御サーバ１は、戻るボタン３１０３が選択されると、画面３０００に表示画面を切り替える。
【００７１】
次に、画面３２００には、表示領域３２１０に対し、制御サーバ１により、発電電力、充電電力、放電電力、消費電力、売電電力、買電電力の各々の電力値の当日の積算値が表示される。ここで、制御サーバ１は、記憶部１Ｓに記憶されている受給電力値テーブルから、当日（本日）の単位時間の周期の時刻毎の発電電力、充電電力、放電電力、消費電力、売電電力、買電電力の各々の電力値を読み出し、種類毎に電力値を積算する。そして、制御サーバ１は、発電電力、充電電力、放電電力、消費電力、売電電力、買電電力の各々の、一日を積算した電力値を、表示領域３２１０に表示する。また、制御サーバ１は、売電電力及び買電電力の各々の積算値に対し、単位時間の周期の時刻毎の電気料金を乗算し、電力料金も表示する。
【００７２】
また、表示領域３２１０には、メインボタン３２０１、切替ボタン３２０２、戻るボタン３２０３が表示されている。
メインボタン３２０１が選択されると、制御サーバ１は、メイン画面を表示する画面に表示画面を切り替える。
制御サーバ１は、切替ボタン３２０２が選択されると、当日の発電電力、充電電力、放電電力、消費電力、売電電力、買電電力の各々の電力値を、ＣＯ２排出量に換算して表示画面に表示する。また、制御サーバ１は、売電電力及び買電電力の各々の積算値に対し、単位時間あたりの電気料金を乗算し、電力料金も表示領域３２１０に表示する。
制御サーバ１は、戻るボタン３２０３が選択されると、画面３０００に表示画面を切り替える。
【００７３】
次に、画面３３００には、表示領域３３１０に対し、制御サーバ１により、発電電力、充電電力、放電電力、消費電力、売電電力、買電電力の各々の電力値の当月の積算値が表示される。ここで、制御サーバ１は、記憶部１Ｓに記憶されている受給電力値テーブルから、当月（本月）の単位時間の周期の時刻毎の発電電力、充電電力、放電電力、消費電力、売電電力、買電電力の各々の電力値を読み出し、種類毎に電力値を積算する。そして、制御サーバ１は、発電電力、充電電力、放電電力、消費電力、売電電力、買電電力の各々の、一ヶ月分を積算した電力値を、表示領域３３１０に表示する。また、制御サーバ１は、売電電力及び買電電力の各々の積算値に対し、単位時間あたりの電気料金を乗算し、一ヶ月分の電力料金も表示する。
【００７４】
また、表示領域３３１０には、メインボタン３３０１、切替ボタン３３０２、戻るボタン３３０３が表示されている。
メインボタン３３０１が選択されると、制御サーバ１は、メイン画面を表示する画面に表示画面を切り替える。
制御サーバ１は、切替ボタン３３０２が選択されると、発電電力、充電電力、放電電力、消費電力、売電電力、買電電力の各々の積算した電力値をＣＯ２排出量に換算し、換算結果を表示領域３２１０に表示する。
制御サーバ１は、戻るボタン３３０３が選択されると、画面３０００に表示画面を切り替える。
【００７５】
次に、画面３４００には、表示領域３４１０に対し、制御サーバ１により、カレンダー機能を用いて当月のカレンダーが表示される。また、表示領域３４１０には、天気と消費量（消費電力の電力量）、太陽光発電パネル８０の発電量（発電電力の電力量）、家庭用蓄電池９０からの放電量（放電電力の電力量）とが表示される。ここで、制御サーバ１は、表示領域３４１０に表示されているカレンダーにおける任意の日が選択された場合、選択された日における単位時間の周期毎の消費電力（受給電力値テーブルにおける交流電流センサ５０４の測定値）、発電電力及び放電電力を読み出し、それぞれを電力の種類毎に積算する。そして、制御サーバ１は、選択された日の天気と、選択された日における積算された消費電力、発電電力及び放電電力の各々の積算値とを、表示領域３４１０に表示する。ここで、制御サーバ１は、インターネットから取得した各日の天気を、記憶部１Ｓに書き込んで記憶させている。
【００７６】
図５は、画面３０００における部屋を選択するボタンを選択した際、表示画面に表示される利用状況の情報であるおうち情報の画面を示す図である。図５において、画面４０００は、画面３０００の表示領域３０１１における１階リビングボタンが選択された場合、制御サーバ１が表示画面に表示する画面である。表示領域３４０１には、消費電力、温度、湿度、在室の有無を示す情報が表示される。
【００７７】
表示領域４０１７には、１階リビングの部屋に配設されたリビングエアコン、ＴＶ（テレビジョン）、リビング照明、リビングコンセントなどの電気機器の名称と、現在の消費電力量とが表示されている。ここで、サーバ１は、記憶部１Ｓの電力値テーブルから、選択された部屋の電気機器の消費電力量を読み出して、表示領域４０１７に表示する。また、制御サーバ１は、電気機器の名称毎に設定された色の背景の欄に、電気機器の名称と、この電気機器の消費電力量を表示する。また、各電気機器の名称の欄の横に、チェックボックス４０１８が配設されている。ここで、制御サーバ１は、部屋にコンセントが複数有る場合、部屋毎のコンセントの消費電力量を加算し、加算結果をその部屋のコンセントの消費電力量とする。例えば、制御サーバ１は、リビングルーム４００にあるリビングコンセント４３及びリビングコンセント４４の各々の消費電流の合計された電流値を交流電流センサ４０３から得て、この電流値から消費電力を求めて、この結果をリビングルーム４００におけるコンセントの消費電力量として、表示画面に表示する。
【００７８】
制御サーバ１は、チェックボックス４０１８がチェックされた電気機器の消費電力を、記憶部１Ｓの電力値テーブルから、単位時間の周期毎の時刻順に順次読み出し、当日の単位時間の周期毎の消費電力を時系列に棒グラフとして表示領域４０１４に表示する。表示領域４０１４のグラフは、横軸が単位時間毎の周期の時刻を示し、縦軸が選択された部屋のチェックされた電気機器の消費電力を示している。また、制御サーバ１は、棒グラフの色を、表示領域４０１７における名称の欄の色と同一の色で表示する。
【００７９】
表示領域４０１５には、当日の経過した単位時間毎の温度及び湿度が時系列にグラフとして表示されている。ここで、制御サーバ１は、記憶部１Ｓにおける温度テーブル及び湿度テーブルの各々から、選択された部屋の温度及び湿度を読み出し、単位時間の周期毎に時刻順に時系列に表示領域４０１５に表示する。表示領域４０１５のグラフは、横軸が単位時間の周期の時刻を示し、右側の縦軸が湿度を示し、左側の縦軸が温度を示している。また、グラフにおいて、○が温度を示し、●が湿度を示している。また、表示領域４０１４におけるグラフと、表示領域４０１５におけるグラフとは、時刻が同一のスケールで対応するように記載されている。
【００８０】
また、表示領域４０１６には、現在の部屋における温度、湿度及び照度と、現在の屋外における温度、湿度及び照度とが表示される。ここで、制御サーバ１は、記憶部１における温度テーブル、湿度テーブル及び照度テーブルの各々から、選択された部屋の現在の温度、湿度及び照度と、屋外の現在の温度、湿度及び照度とを読み出し、表示領域４０１６に表示する。表示領域４０１１には当日の過去のデータが表示され、一方、表示領域４０１２には当日の現在のデータが表示される。なお、前記の温度、湿度及び照度については、これらのうち少なくともいずれか一つを表示させればよいが、図５に示すように全てを表示することにより、より効果的なホームエネルギーマネージメントが可能となる。
【００８１】
また、表示領域４０１３には、選択された部屋に人が在室しているか否かを示す在室情報が表示される。ここで、制御サーバ１は、記憶部１Ｓの在室テーブルから、現在の時刻（図５では１４時）における在室情報を読み出し、表示領域４０１２と重なる表示領域４０１３の部分に、現在の状態（現在の在室情報）を表示する。また、制御サーバ１は、表示領域４０１１と重なる表示領域４０１３の部分に、横軸が表示領域４０１４に表示されたグラフと同一の時刻のスケールを有するバーを表示する。制御サーバ１は、人が在室している時間範囲を特定の色（例えば橙色）で表示し、在室していない時間範囲を前記とは異なる色（例えばグレー色）で表示する。これにより、時刻８時には在室していないのにもかかわらず、リビングエアコンが稼働し、無駄な電力が消費されていたことが解る。表示領域４０１４におけるグラフと、表示領域４０１３におけるバーとは、時刻が同一のスケールで対応するように記載されている。
【００８２】
また、表示領域４０１０には、メインボタン４００１、カレンダーボタン４００２、戻るボタン４００３が表示されている。
メインボタン４００１が選択されると、制御サーバ１は、メイン画面を表示する画面に表示画面を切り替える。制御サーバ１は、カレンダーボタン４００２が選択されると、画面４２００を表示する画面に、表示画面を切り替える。
制御サーバ１は、戻るボタン３３０３が選択されると、画面３０００に表示画面を切り替える。
【００８３】
画面４２００には、表示領域４２１０に対し、制御サーバ１により、カレンダー機能を用いて当月のカレンダーが表示される。また、表示領域４２１０には、メインボタン４２１１、本日のグラフボタン４２１２、前月ボタン４２１３、戻るボタン４２１４が表示されている。メインボタン４２１１が選択されると、制御サーバ１は、メイン画面を表示する画面に表示画面を切り替える。本日のグラフボタン４２１２が選択されると、制御サーバ１は、本日に対応する画面４１００を表示する。前月ボタン４２１３が選択されると、制御サーバ１は、前月のカレンダーを表示領域４２１０に表示する。制御サーバ１は、戻るボタン４２１４が選択されると、画面４０００に表示画面を切り替える。また、制御サーバ１は、カレンダーの任意の日を選択すると、選択した日に対応する画面４１００を表示する。
【００８４】
画面４１００には、表示領域４１１０に対し、制御サーバ１により、当日のグラフあるいはカレンダーで選択された日の消費電力及び温度、湿度のデータが表示される。
制御サーバ１は、画面４２００におけるカレンダーにおいて選択された日における選択された部屋（図５ではリビングルーム）における消費電力を、当日の単位時間の周期毎の消費電力を時系列に棒グラフとして表示領域４１１２に表示する。表示領域４１１２のグラフは、横軸が単位時間の周期の時刻を示し、縦軸が選択された部屋の消費電力を示している。ここで、制御サーバ１は、選択された部屋の配線に対応する電気機器の電力値を、記憶部１Ｓの電力値テーブルから単位時間の周期毎に時刻順に順次読み出す。そして、制御サーバ１は、読み出した電気機器の電力値を部屋毎にかつ単位時間の周期の時刻毎に加算し、部屋全体の消費電力として算出し、上述したグラフを生成する。
【００８５】
表示領域４１１３は、当日の経過した単位時間の周期の時刻毎の温度及び湿度が時系列にグラフとして表示されている。ここで、制御サーバ１は、記憶部１Ｓにおける温度テーブル及び湿度テーブルの各々から、選択された部屋の温度及び湿度を読み出し、単位時間の周期毎に時刻順に時系列に表示領域４１１３に表示する。表示領域４１１３のグラフは、横軸が単位時間の周期の時刻を示し、右側の縦軸が湿度を示し、左側の縦軸が温度を示している。また、グラフにおいて、○が温度を示し、●が湿度を示している。
【００８６】
また、表示領域４１１１には、選択された部屋に人が在室しているか否かを示す在室情報が表示される。ここで、制御サーバ１は、記憶部１Ｓの在室テーブルから、現在の時刻（図５では１４時）における在室情報を読み出し、横軸が表示領域４１１２に表示されたグラフと同一の時刻のスケールを有するバーを表示する。制御サーバ１は、人が在室している時間範囲を特定の色（例えば橙色）で表示し、在室していない時間範囲を前記とは異なる色（例えばグレー色）で表示する。これにより、時刻８時には在室していないのにもかかわらず、リビングエアコンが稼働し、無駄な電力が消費されていたことが解る。また、表示領域４１１２におけるグラフと、表示領域４１１３におけるグラフと、表示領域４１１１におけるバーとは、時刻が同一のスケールで対応するように記載されている。
【００８７】
また、表示領域４１１０には、メインボタン４１０１、全体のグラフボタン４１０２、カレンダーボタン４１０３、切替ボタン４１０４、戻るボタン４１０５が表示されている。
制御サーバ１は、メインボタン４１０１が選択されると、メイン画面を表示する画面に表示画面を切り替える。
制御サーバ１は、全体のグラフボタン４１０２が選択されると、画面４０００に表示画面を切り替える。
制御サーバ１は、カレンダーボタン４１０３が選択されると、今月のカレンダーを示す画面４２００を表示する画面に、表示画面を切り替える。
制御サーバ１は、切替ボタン４１０４が選択されると、各時刻における電力値をＣＯ２排出量に換算し、換算結果を表示領域４１１２に表示する。
制御サーバ１は、戻るボタン４１０５が選択されると、直前に表示していた画面、例えば直前に画面４２００を表示していた場合、画面４２００の表示画面を切り替える。
【００８８】
上述した構成により、本実施形態によれば、制御サーバ１及び表示装置６００の各々が表示する表示画面の情報により、部屋などの生活空間毎に、かつ電気機器毎に使用した消費電力を確認することができる。
また、本実施形態によれば、各部屋に人間が在室しているか否かの生活行動情報が提示されるため、各部屋に備えられた電気機器の各々により消費される消費電力が必要に応じて使用された電力か、あるいは無駄に使用された電力かを、ユーザーが容易に見分けることが可能となる。
これにより、本発明によれば、ユーザーは、住宅内の部屋毎の各電気機器に対して、どのような対応を行えば、消費電力の節約が行えるかを明確に認識することができ、制御サーバ１あるいは表示装置６００に表示される情報を、有効にユーザーの節電行動に繋げることが可能となる。
【００８９】
また、本実施形態によれば、過去の消費電力の履歴が単位時間の周期の時刻毎に記憶部１Ｓにおける各テーブルに書き込まれて記憶されるため、住宅内における部屋毎の電力消費電力の変化の傾向を容易に確認することができ、季節毎、曜日毎などにおいてどのようにすれば、消費電力を低減することができるかを、容易に検討することが可能となる。
【００９０】
また、上述した本実施形態の構成において、コンセントモニタなる交流センサを用いて、電気機器の消費電力を測定していた。しかしながら、電気機器に制御サーバ１と接続可能な通信インターフェース（例えば、ＬＡＮ（Local Area Network ）経由）が設けられている場合、それぞれの電気機器がＬＡＮ経由により制御サーバ１に対して、消費電力の電力値及び稼働状態（ＯＮ／ＯＦＦ）の情報を送信する構成としても良い。これにより、本実施形態において、制御サーバ１がそれぞれの電気機器から受信する消費電力の電力値及び稼働状態（ＯＮ／ＯＦＦ）の情報により、コンセントモニタを使用した場合と同様に、上述した本実施形態における生活空間単位での消費電力の管理情報を集計し、集計結果を表示画面に表示する構成としても良い。
【００９１】
また、図２におけるにおけるホームエネルギーマネージメントシステムの機能を実現するためのプログラムをコンピュータ読み取り可能な記録媒体に記録して、この記録媒体に記録されたプログラムをコンピュータシステムに読み込ませ、実行することにより住宅における生活空間単位での消費電力の管理を行ってもよい。なお、ここでいう「コンピュータシステム」とは、ＯＳや周辺機器等のハードウェアを含むものとする。
【００９２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９３】
以上、この発明の実施形態を図面を参照して詳述してきたが、具体的な構成はこの実施形態に限られるものではなく、この発明の要旨を逸脱しない範囲の設計等も含まれる。
【符号の説明】
【００９４】
１    制御サーバ
１Ｓ  記憶部
２    変換器
３    アンペアブレーカー
４    発電機ブレーカー
５    主幹ブレーカー
１１  キッチン照明
１２  キッチンコンセント
１３  食器洗い機
１４  ＩＨクッキングヒーター
２１  寝室エアコン
２２  寝室コンセント
２３  寝室照明
３１  子供部屋照明
３２  子供部屋エアコン
３３，３４  子供部屋コンセント
４１  リビング照明
４２  リビングエアコン
４３，４４  リビングコンセント
７０  パワーコンディショナー
８０  太陽光発電パネル
９０  家庭用蓄電池
１００  キッチン
１０１，１０２，１０３，１０４，２０１，２０２，２０３，３０１，３０２，３０３，４０１，４０２，４０３，５０１，５０２，５０３，５０４  交流電流センサ
１１０，２１０，３１０，４１０  部屋単位ブレーカー群
１１１，１１２，１１３，１１４，２１１，２１２，２１３，２１４，３１１，３１２，３１３，４１１，４１２，４１３  配線
１２１、１２２，１２３，１２４，２２１，２２２，２２３，３２１，３２２，３２３，４２１，４２２，４２３  ブレーカー
２００  寝室
３００  子供部屋
４００  リビングルーム
５５０  商用電源
６００  表示装置
７０１，７０２，７０３，７０４，７０５  温度センサ
８０１，８０２，８０３，８０４，８０５  湿度センサ
９０１，９０２，９０３，９０４，９０５  照度センサ
１００１，１００２，１００３，１００４  人感センサ
【図１】
2015046320.tif 000003
【図２】
2015046320.tif 000004
【図３】
2015046320.tif 000005
【図４】
2015046320.tif 000006
【図５】
2015046320.tif 000007
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
住宅内の生活空間毎で消費される消費電力を管理するホームエネルギーマネージメントシステムであり、
生活空間毎の消費電力を検出する検出部と、
生活空間毎に設けられ、当該生活空間の温度、湿度及び照度のうち少なくともいずれか一つを含む生活環境情報を検出する検出センサ群と、
生活空間毎に設けられ、当該生活空間における人間の在室の有無を検出し、在室有無情報として出力する在室検出センサと、
前記生活環境情報に含まれる項目について、生活空間毎に記憶する制御サーバと、
前記制御サーバが記憶した前記消費電力、前記生活環境情報及び前記在室有無情報を、前記生活空間毎に前記表示装置に対して表示する表示装置と
を有し、
前記制御サーバが、
前記住宅に備えられている発電機の発電電力、前記住宅に電力会社から供給されている買電電力、蓄電器に対する充電電力及び放電電力、を含む電力情報を表示する電力情報表示画面と、
前記生活空間毎に表示する生活空間情報グラフ画面と、
前記電力情報表示画面または生活空間情報グラフ画面を切り替える表示切り替えボタンと
を前記表示装置に表示する
ことを特徴とするホームエネルギーマネージメントシステム。
【請求項２】
前記消費電力、前記生活環境情報及び前記在室有無情報の各々の履歴を、前記生活空間毎に記憶する記憶部をさらに有し、
前記制御サーバが、前記消費電力、前記生活環境情報及び前記在室有無情報の各々を、前記記憶部に対して、時系列に書き込んで記憶させる
ことを特徴とする請求項１に記載のホームエネルギーマネージメントシステム。
【請求項３】
前記屋外に設けられ、前記屋外の温度である屋外温度、屋外の湿度である屋外湿度、屋外の照度である屋外照度のうち少なくともいずれか一つを含む屋外環境情報を検出する屋外センサ群
をさらに有し、
前記制御サーバが、前記前記屋外環境情報を含む生活環境情報を、前記表示装置に対して表示させる
ことを特徴とする請求項１または請求項２に記載のホームエネルギーマネージメントシステム。
【請求項４】
前記検出部が、
前記生活空間における電気機器毎に消費電力を測定し、
前記制御サーバが、
前記生活空間毎に、かつ当該生活空間の電気機器毎に消費電力を前記表示装置に表示させる
ことを特徴とする請求項１から請求項３のいずれか一項に記載のホームエネルギーマネージメントシステム。
【請求項５】
前記電力情報表示画面に表示する電力情報が、さらに、前記住宅から前記電力会社に供給している売電電力を含むことを特徴とする請求項１に記載のホームエネルギーマネージメントシステム。
【請求項６】
住宅内の生活空間毎で消費される消費電力を管理するホームエネルギーマネージメント方法であり、
生活空間毎の消費電力を検出する検出過程と、
前記生活空間毎に設けられた検出センサ群により、前記生活空間の温度、湿度及び照度のうち少なくともいずれか一つを含む生活環境情報を、前記生活空間毎に検出するセンサ検出過程と、
生活空間毎に設けられた在室検出センサにより、当該生活空間における人間の在室の有無を検出し、在室有無情報として出力する在室検出過程と、
制御サーバが、前記消費電力、前記生活環境情報及び前記在室有無情報を、生活空間毎に記憶する記憶過程と、
を有し、
前記制御サーバが、記憶した前記消費電力、前記生活環境情報及び前記在室有無情報を、前記生活空間毎に前記表示装置に対して表示させ、
前記住宅に備えられている発電機の発電電力、前記住宅に電力会社から供給されている買電電力、蓄電器に対する充電電力及び放電電力、を含む電力情報を表示する電力情報表示画面と、
前記生活空間毎に表示する生活空間情報グラフ画面と、
前記電力情報表示画面または生活空間情報グラフ画面を切り替える表示切り替えボタンと
を前記表示装置に対して表示させる過程と
を有する
ことを特徴とするホームエネルギーマネージメント方法。
【請求項７】
前記センサ検出過程において、前記生活空間毎に設けられた検出センサ群により、前記生活空間の温度、湿度及び照度を含む生活環境情報を、前記生活空間毎に検出することを特徴とする請求項６に記載のホームエネルギーマネージメント方法。
【手続補正２】
【補正対象書類名】明細書
【補正対象項目名】０００６
【補正方法】変更
【補正の内容】
【０００６】
本発明のホームエネルギーマネージメントシステムは、住宅内の生活空間毎で消費される消費電力を管理するホームエネルギーマネージメントシステムであり、生活空間毎の消費電力を検出する検出部と、生活空間毎に設けられ、当該生活空間の温度、湿度及び照度のうち少なくともいずれか一つを含む生活環境情報を検出する検出センサ群と、生活空間毎に設けられ、当該生活空間における人間の在室の有無を検出し、在室有無情報として出力する在室検出センサと、前記生活環境情報に含まれる項目について、生活空間毎に記憶する制御サーバと、前記制御サーバが記憶した前記消費電力、前記生活環境情報及び前記在室有無情報を、前記生活空間毎に前記表示装置に対して表示する表示装置とを有し、前記制御サーバが、前記表示装置に対し、前記住宅に備えられている発電機の発電電力、前記住宅に電力会社から供給されている買電電力、蓄電器に対する充電電力及び放電電力、（及び必要に応じて前記住宅から前記電力会社に供給している売電電力）を含む電力情報を表示する電力情報表示画面と、前記生活空間毎に表示する生活空間情報グラフ画面と、前記電力情報表示画面または生活空間情報グラフ画面を切り替える表示切り替えボタンとを前記表示装置に表示することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明のホームエネルギーマネージメント方法は、住宅内の生活空間毎で消費される消費電力を管理するホームエネルギーマネージメント方法であり、生活空間毎の消費電力を検出する検出過程と、前記生活空間毎に設けられた検出センサ群により、前記生活空間の温度、湿度及び照度のうち少なくともいずれか一つ（好ましくはこれら全て）を含む生活環境情報を、前記生活空間毎に検出するセンサ検出過程と、生活空間毎に設けられた在室検出センサにより、当該生活空間における人間の在室の有無を検出し、在室有無情報として出力する在室検出過程と、制御サーバが、前記消費電力、前記生活環境情報及び前記在室有無情報を、生活空間毎に記憶する記憶過程と、を有し、前記制御サーバが、記憶した前記消費電力、前記生活環境情報及び前記在室有無情報を、前記生活空間毎に前記表示装置に対して表示させ、前記住宅に備えられている発電機の発電電力、前記住宅に電力会社から供給されている買電電力、蓄電器に対する充電電力及び放電電力、を含む電力情報を表示する電力情報表示画面と、前記生活空間毎に表示する生活空間情報グラフ画面と、前記電力情報表示画面または生活空間情報グラフ画面を切り替える表示切り替えボタンとを前記表示装置に対して表示させる過程とを有する。
【手続補正５】
【補正対象書類名】明細書
【補正対象項目名】００４６
【補正方法】変更
【補正の内容】
【００４６】
センサ７０１：キッチン温度、２９℃
センサ７０２：寝室温度、２８℃
センサ７０３：子供部屋温度、２７℃
センサ７０４：リビング温度、２７℃
センサ７０５：屋外温度、３２℃
上記温度テーブルにおいて、温度センサのセンサ番号と、センサ番号の温度センサの測定する場所と、センサ番号の温度センサの測定した温度とが対応して記憶される。温度センサ７０１は、キッチン１００の温度であるキッチン温度を測定する。温度センサ７０２は、寝室２００の温度である寝室温度を測定する。温度センサ７０３は、子供部屋３００の温度である子供部屋温度を測定する。温度センサ７０４は、リビング４００の温度であるリビング温度を測定する。温度センサ７０５は、屋外（住宅の外）の温度である屋外温度を測定する。
この温度テーブルは、すでに説明した電力値テーブルと同様に、所定の時間毎、例えば単位時間として１時間毎に測定された電力値が時系列で、所定の期間（例えば、月単位など）の間にわたり、制御サーバ１により記憶部１Ｓに書き込まれることにより記憶されている。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
住宅内の生活空間毎で消費される消費電力を管理するホームエネルギーマネージメントシステムであり、
生活空間毎の消費電力を検出する検出部と、
生活空間毎に設けられ、当該生活空間の温度、湿度及び照度のうち少なくともいずれか一つを含む生活環境情報を検出する検出センサ群と、
生活空間毎に設けられ、当該生活空間における人間の在室の有無を検出し、在室有無情報として出力する在室検出センサと、
前記生活環境情報に含まれる項目について、生活空間毎に記憶する制御サーバと、
表示装置と
を有し、
前記制御サーバが、
前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、
前記制御サーバが記憶した前記消費電力、前記生活環境情報及び前記在室有無情報の、少なくともいずれか一つの情報を、前記生活空間毎に表示する生活空間情報グラフ画面と、
前記電力情報表示画面または生活空間情報グラフ画面を切り替える表示切り替えボタンと
を前記表示装置に表示させる
ことを特徴とするホームエネルギーマネージメントシステム。
【請求項２】
前記消費電力、前記生活環境情報及び前記在室有無情報の各々の履歴を、前記生活空間毎に記憶する記憶部をさらに有し、
前記制御サーバが、前記消費電力、前記生活環境情報及び前記在室有無情報の各々を、前記記憶部に対して、時系列に書き込んで記憶させる
ことを特徴とする請求項１に記載のホームエネルギーマネージメントシステム。
【請求項３】
屋外に設けられ、前記屋外の温度である屋外温度、前記屋外の湿度である屋外湿度、前記屋外の照度である屋外照度のうち少なくともいずれか一つを含む屋外環境情報を検出する屋外センサ群
をさらに有し、
前記制御サーバが、前記前記屋外環境情報を含む生活環境情報を、前記表示装置に対して表示させる
ことを特徴とする請求項１または請求項２に記載のホームエネルギーマネージメントシステム。
【請求項４】
前記検出部が、
前記生活空間における電気機器毎に消費電力を測定し、
前記制御サーバが、
前記生活空間毎に、かつ当該生活空間の電気機器毎に消費電力を前記表示装置に表示させる
ことを特徴とする請求項１から請求項３のいずれか一項に記載のホームエネルギーマネージメントシステム。
【請求項５】
前記電力情報表示画面に表示する電力情報が、さらに、前記住宅から前記電力会社に供給している売電電力を含むことを特徴とする請求項１に記載のホームエネルギーマネージメントシステム。
【請求項６】
住宅内の生活空間毎で消費される消費電力を管理するホームエネルギーマネージメント方法であり、
生活空間毎の消費電力を検出する検出過程と、
前記生活空間毎に設けられた検出センサ群により、前記生活空間の温度、湿度及び照度のうち少なくともいずれか一つを含む生活環境情報を、前記生活空間毎に検出するセンサ検出過程と、
生活空間毎に設けられた在室検出センサにより、当該生活空間における人間の在室の有無を検出し、在室有無情報として出力する在室検出過程と、
制御サーバが、前記消費電力、前記生活環境情報及び前記在室有無情報を、生活空間毎に記憶する記憶過程と、
前記制御サーバが、表示装置に対して情報を表示させる表示過程と、
を有し、
前記表示過程は、
前記制御サーバが、
前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、
前記制御サーバが記憶した前記消費電力、前記生活環境情報及び前記在室有無情報の、少なくともいずれか一つの情報を、前記生活空間毎に表示する生活空間情報グラフ画面と、
前記電力情報表示画面または生活空間情報グラフ画面を切り替える表示切り替えボタンと
を前記表示装置に対して表示させるものである
ことを特徴とするホームエネルギーマネージメント方法。
【請求項７】
前記センサ検出過程において、前記生活空間毎に設けられた検出センサ群により、前記生活空間の温度、湿度及び照度を含む生活環境情報を、前記生活空間毎に検出することを特徴とする請求項６に記載のホームエネルギーマネージメント方法。
【手続補正２】
【補正対象書類名】明細書
【補正対象項目名】０００６
【補正方法】変更
【補正の内容】
【０００６】
本発明のホームエネルギーマネージメントシステムは、住宅内の生活空間毎で消費される消費電力を管理するホームエネルギーマネージメントシステムであり、生活空間毎の消費電力を検出する検出部と、生活空間毎に設けられ、当該生活空間の温度、湿度及び照度のうち少なくともいずれか一つを含む生活環境情報を検出する検出センサ群と、生活空間毎に設けられ、当該生活空間における人間の在室の有無を検出し、在室有無情報として出力する在室検出センサと、前記生活環境情報に含まれる項目について、生活空間毎に記憶する制御サーバと、表示装置とを有し、前記制御サーバが、前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、前記制御サーバが記憶した前記消費電力、前記生活環境情報及び前記在室有無情報の、少なくともいずれか一つの情報を、前記生活空間毎に表示する生活空間情報グラフ画面と、前記電力情報表示画面または生活空間情報グラフ画面を切り替える表示切り替えボタンとを前記表示装置に表示させることを特徴とする。
【手続補正３】
【補正対象書類名】明細書
【補正対象項目名】０００８
【補正方法】変更
【補正の内容】
【０００８】
本発明のホームエネルギーマネージメントシステムは、屋外に設けられ、前記屋外の温度である屋外温度、前記屋外の湿度である屋外湿度、前記屋外の照度である屋外照度のうち少なくともいずれか一つを含む屋外環境情報を検出する屋外センサ群をさらに有し、前記制御サーバが、前記前記屋外環境情報を含む生活環境情報を、前記表示装置に対して表示させることを特徴とする。
【手続補正４】
【補正対象書類名】明細書
【補正対象項目名】００１１
【補正方法】変更
【補正の内容】
【００１１】
本発明のホームエネルギーマネージメント方法は、住宅内の生活空間毎で消費される消費電力を管理するホームエネルギーマネージメント方法であり、生活空間毎の消費電力を検出する検出過程と、前記生活空間毎に設けられた検出センサ群により、前記生活空間の温度、湿度及び照度のうち少なくともいずれか一つを含む生活環境情報を、前記生活空間毎に検出するセンサ検出過程と、生活空間毎に設けられた在室検出センサにより、当該生活空間における人間の在室の有無を検出し、在室有無情報として出力する在室検出過程と、制御サーバが、前記消費電力、前記生活環境情報及び前記在室有無情報を、生活空間毎に記憶する記憶過程と、前記制御サーバが、表示装置に対して情報を表示させる表示過程と、を有し、前記表示過程は、前記制御サーバが、前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、前記制御サーバが記憶した前記消費電力、前記生活環境情報及び前記在室有無情報の、少なくともいずれか一つの情報を、前記生活空間毎に表示する生活空間情報グラフ画面と、前記電力情報表示画面または生活空間情報グラフ画面を切り替える表示切り替えボタンとを前記表示装置に対して表示させるものであることを特徴とする。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
住宅内の生活空間毎で消費される消費電力を管理するホームエネルギーマネージメントシステムであり、
生活空間毎の消費電力を検出する検出部と、
生活空間毎に設けられ、当該生活空間の温度、湿度及び照度のうち少なくともいずれか一つを含む生活環境情報を検出する検出センサ群と、
生活空間毎に設けられ、当該生活空間における人間の在室の有無を検出し、在室有無情報として出力する在室検出センサと、
前記生活環境情報に含まれる項目について、生活空間毎に記憶する制御サーバと、
表示装置と
を有し、
前記制御サーバが、
前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、
前記制御サーバが記憶した前記消費電力、前記生活環境情報及び前記在室有無情報の、少なくともいずれか一つの情報を、前記生活空間毎に、現在及び過去のデータとして表示領域に表示する生活空間情報グラフ画面と、
前記電力情報表示画面または生活空間情報グラフ画面を切り替える表示切り替えボタンと
を前記表示装置に表示させる
ことを特徴とするホームエネルギーマネージメントシステム。
【請求項２】
前記消費電力、前記生活環境情報及び前記在室有無情報の各々の履歴を、前記生活空間毎に記憶する記憶部をさらに有し、
前記制御サーバが、前記消費電力、前記生活環境情報及び前記在室有無情報の各々を、前記記憶部に対して、時系列に書き込んで記憶させる
ことを特徴とする請求項１に記載のホームエネルギーマネージメントシステム。
【請求項３】
屋外に設けられ、前記屋外の温度である屋外温度、前記屋外の湿度である屋外湿度、前記屋外の照度である屋外照度のうち少なくともいずれか一つを含む屋外環境情報を検出する屋外センサ群
をさらに有し、
前記制御サーバが、前記前記屋外環境情報を含む生活環境情報を、前記表示装置に対して表示させる
ことを特徴とする請求項１または請求項２に記載のホームエネルギーマネージメントシステム。
【請求項４】
前記検出部が、
前記生活空間における電気機器毎に消費電力を測定し、
前記制御サーバが、
前記生活空間毎に、かつ当該生活空間の電気機器毎に消費電力を前記表示装置に表示させる
ことを特徴とする請求項１から請求項３のいずれか一項に記載のホームエネルギーマネージメントシステム。
【請求項５】
前記電力情報表示画面に表示する電力情報が、さらに、前記住宅から前記電力会社に供給している売電電力を含むことを特徴とする請求項１に記載のホームエネルギーマネージメントシステム。
【請求項６】
住宅内の生活空間毎で消費される消費電力を管理するホームエネルギーマネージメント方法であり、
生活空間毎の消費電力を検出する検出過程と、
前記生活空間毎に設けられた検出センサ群により、前記生活空間の温度、湿度及び照度のうち少なくともいずれか一つを含む生活環境情報を、前記生活空間毎に検出するセンサ検出過程と、
生活空間毎に設けられた在室検出センサにより、当該生活空間における人間の在室の有無を検出し、在室有無情報として出力する在室検出過程と、
制御サーバが、前記消費電力、前記生活環境情報及び前記在室有無情報を、生活空間毎に記憶する記憶過程と、
前記制御サーバが、表示装置に対して情報を表示させる表示過程と、
を有し、
前記表示過程は、
前記制御サーバが、
前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、
前記制御サーバが記憶した前記消費電力、前記生活環境情報及び前記在室有無情報の、少なくともいずれか一つの情報を、前記生活空間毎に、現在及び過去のデータとして表示領域に表示する生活空間情報グラフ画面と、
前記電力情報表示画面または生活空間情報グラフ画面を切り替える表示切り替えボタンと
を前記表示装置に対して表示させるものである
ことを特徴とするホームエネルギーマネージメント方法。
【請求項７】
前記センサ検出過程において、前記生活空間毎に設けられた検出センサ群により、前記生活空間の温度、湿度及び照度を含む生活環境情報を、前記生活空間毎に検出することを特徴とする請求項６に記載のホームエネルギーマネージメント方法。
【手続補正２】
【補正対象書類名】明細書
【補正対象項目名】０００６
【補正方法】変更
【補正の内容】
【０００６】
本発明のホームエネルギーマネージメントシステムは、住宅内の生活空間毎で消費される消費電力を管理するホームエネルギーマネージメントシステムであり、生活空間毎の消費電力を検出する検出部と、生活空間毎に設けられ、当該生活空間の温度、湿度及び照度のうち少なくともいずれか一つを含む生活環境情報を検出する検出センサ群と、生活空間毎に設けられ、当該生活空間における人間の在室の有無を検出し、在室有無情報として出力する在室検出センサと、前記生活環境情報に含まれる項目について、生活空間毎に記憶する制御サーバと、表示装置とを有し、前記制御サーバが、前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、前記制御サーバが記憶した前記消費電力、前記生活環境情報及び前記在室有無情報の、少なくともいずれか一つの情報を、前記生活空間毎に、現在及び過去のデータとして表示領域に表示する生活空間情報グラフ画面と、前記電力情報表示画面または生活空間情報グラフ画面を切り替える表示切り替えボタンとを前記表示装置に表示させることを特徴とする。
【手続補正３】
【補正対象書類名】明細書
【補正対象項目名】００１１
【補正方法】変更
【補正の内容】
【００１１】
本発明のホームエネルギーマネージメント方法は、住宅内の生活空間毎で消費される消費電力を管理するホームエネルギーマネージメント方法であり、生活空間毎の消費電力を検出する検出過程と、前記生活空間毎に設けられた検出センサ群により、前記生活空間の温度、湿度及び照度のうち少なくともいずれか一つを含む生活環境情報を、前記生活空間毎に検出するセンサ検出過程と、生活空間毎に設けられた在室検出センサにより、当該生活空間における人間の在室の有無を検出し、在室有無情報として出力する在室検出過程と、制御サーバが、前記消費電力、前記生活環境情報及び前記在室有無情報を、生活空間毎に記憶する記憶過程と、前記制御サーバが、表示装置に対して情報を表示させる表示過程と、を有し、前記表示過程は、前記制御サーバが、前記住宅に備えられている発電機の発電電力、前記住宅に電力会社から供給されている買電電力、蓄電器に対する充電電力及び放電電力の、少なくともいずれか一つの情報を含む電力情報を表示する電力情報表示画面と、前記制御サーバが記憶した前記消費電力、前記生活環境情報及び前記在室有無情報の、少なくともいずれか一つの情報を、前記生活空間毎に、現在及び過去のデータとして表示領域に表示する生活空間情報グラフ画面と、前記電力情報表示画面または生活空間情報グラフ画面を切り替える表示切り替えボタンとを前記表示装置に対して表示させるものであることを特徴とする。
【国際調査報告】
2015046320.tif 000008
2015046320.tif 000009
2015046320.tif 000010
2015046320.tif 000011